【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
吸気弁の開閉特性として少なくともそのリフト量を変更可能な可変動弁機構を備えた内燃機関の制御装置において、
前記内燃機関の始動開始時に前記可変動弁機構を通じて前記リフト量を予め定める第１設定値に設定した後、前記内燃機関が完爆状態に至る前に前記リフト量を前記第１設定値より大きな第２設定値に切り替える制御手段と、前記内燃機関の燃焼状態を判断する判断手段とを備え、
前記制御手段は前記吸気弁のリフト量の切り替えに際して、機関始動開始後、前記判断手段によって内燃機関が初爆状態に移行していない旨判断されるときには前記リフト量を前記第１設定値に維持する
ことを特徴とする内燃機関の制御装置。
【請求項２】
請求項１に記載の内燃機関の制御装置において、
前記判断手段は前記内燃機関の燃焼状態と相関を有する因子として機関回転速度を監視するものであり、
前記制御手段は前記吸気弁のリフト量の切り替えに際して、機関始動開始後、前記判断手段によって前記内燃機関が初爆状態に相当する機関回転速度に達していない旨判断されるときには前記リフト量を前記第１設定値に維持する
ことを特徴とする内燃機関の制御装置。
【請求項３】
吸気弁の開閉特性として少なくともそのリフト量を変更可能な可変動弁機構を備えた内燃機関の制御装置において、
前記内燃機関の始動開始時に前記可変動弁機構を通じて前記リフト量を予め定める第１設定値に設定した後、前記内燃機関が完爆状態に至る前に前記リフト量を前記第１設定値より大きな第２設定値に切り替える制御手段と、前記内燃機関の始動開始時の機関温度を検出する検出手段とを備え、
前記制御手段は前記機関温度が予め定める第１の所定温度以下であることを条件に前記吸気弁のリフト量にかかる切替処理を実行する
ことを特徴とする内燃機関の制御装置。
【請求項４】
請求項３に記載の内燃機関の制御装置において、
前記制御手段は前記機関温度が前記第１の所定温度より高く定めた第２の所定温度以下であるときに、機関始動開始時から前記内燃機関が完爆状態に至るまで前記リフト量を前記第１設定値よりも大きい第３設定値に設定する
ことを特徴とする内燃機関の制御装置。
【請求項５】
請求項４に記載の内燃機関の制御装置において、
前記制御手段は前記機関温度が前記第２の所定温度より高いことを条件に、機関始動開始時から前記内燃機関が完爆状態に至るまで前記リフト量を前記第２設定値より小さい第４設定値に設定する
ことを特徴とする内燃機関の制御装置。
【請求項６】
請求項１〜５のいずれか１項に記載の内燃機関の制御装置において、
前記可変動弁機構は前記吸気弁のリフト量に加えて更にその開閉時期を変更可能なものであり、
前記制御手段は前記リフト量の増減に同期させて前記吸気弁の開弁期間も増減させて設定する
ことを特徴とする内燃機関の制御装置。
【請求項７】
請求項６に記載の内燃機関の制御装置において、
前記制御手段は初爆から完爆までの間は前記吸気弁の閉弁時期を下死点に設定する
ことを特徴とする内燃機関の制御装置。
。
【手続補正２】
【補正対象書類名】明細書
【補正対象項目名】０００８
【補正方法】変更
【補正の内容】
【０００８】
請求項１に記載の発明では、吸気弁の開閉特性として少なくともそのリフト量を変更可能な可変動弁機構を備えた内燃機関の制御装置において、前記内燃機関の始動開始時に前記可変動弁機構を通じて前記リフト量を予め定める第１設定値に設定した後、前記内燃機関が完爆状態に至る前に前記リフト量を前記第１設定値より大きな第２設定値に切り替える制御手段と、前記内燃機関の燃焼状態を判断する判断手段とを備え、前記制御手段は前記吸気弁のリフト量の切り替えに際して、機関始動開始後、前記判断手段によって内燃機関が初爆状態に移行していない旨判断されるときには前記リフト量を前記第１設定値に維持することを特徴としている。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
さらに、内燃機関が初爆状態に移行していない旨判断されるまでは吸気弁のリフト量が第２設定値よりも小さい第１設定値に維持されるため、同内燃機関が初爆状態に移行する前に吸気弁のリフト量が第２設定値に切り替えられることによって初爆状態に移行するのが遅れるといった不都合を極力抑制することができるようになる。
【手続補正５】
【補正対象書類名】明細書
【補正対象項目名】００１２
【補正方法】変更
【補正の内容】
【００１２】
請求項２に記載の発明では、請求項１に記載の内燃機関の制御装置において、前記判断手段は前記内燃機関の燃焼状態と相関を有する因子として機関回転速度を監視するものであり、前記制御手段は前記吸気弁のリフト量の切り替えに際して、機関始動開始後、前記判断手段によって前記内燃機関が初爆状態に相当する機関回転速度に達していない旨判断されるときには前記リフト量を前記第１設定値に維持することを特徴としている。
【手続補正６】
【補正対象書類名】明細書
【補正対象項目名】００１３
【補正方法】変更
【補正の内容】
【００１３】
このように上記内燃機関の燃焼状態を判断する判断手段としては、請求項２に記載されるように同燃焼状態と極めて相関の高い機関回転速度を監視するのが好適である。即ち、機関回転速度が上昇したときほど内燃機関の燃焼状態は安定しており、完爆状態に近い状態になっていると推定できる。従って、上記構成を採用した場合には、内燃機関が初爆状態に相当する機関回転速度に達していない旨判断されるときには前記リフト量を前記第１設定値に維持するようにするのが好ましい。
【手続補正７】
【補正対象書類名】明細書
【補正対象項目名】００１４
【補正方法】変更
【補正の内容】
【００１４】
請求項３に記載の発明では、吸気弁の開閉特性として少なくともそのリフト量を変更可能な可変動弁機構を備えた内燃機関の制御装置において、前記内燃機関の始動開始時に前記可変動弁機構を通じて前記リフト量を予め定める第１設定値に設定した後、前記内燃機関が完爆状態に至る前に前記リフト量を前記第１設定値より大きな第２設定値に切り替える制御手段と、前記内燃機関の始動開始時の機関温度を検出する検出手段とを備え、前記制御手段は前記機関温度が予め定める第１の所定温度以下であることを条件に前記吸気弁のリフト量にかかる切替処理を実行することを特徴としている。
【手続補正８】
【補正対象書類名】明細書
【補正対象項目名】００１６
【補正方法】変更
【補正の内容】
【００１６】
この点、請求項３記載の発明では、吸気弁のリフト量にかかるそうした切替処理を機関温度が予め定める第１の所定温度以下であることを条件として実行するようにしているため、そうした切替処理を実行する必要性の高いときにこれを行うことができるようになる。尚、機関温度については、これを例えば内燃機関の冷却水温度や潤滑油温度に基づいて適正に推定することができる。
【手続補正９】
【補正対象書類名】明細書
【補正対象項目名】００１７
【補正方法】変更
【補正の内容】
【００１７】
請求項４に記載の発明では、請求項３に記載の内燃機関の制御装置において、前記制御手段は前記機関温度が前記第１の所定温度より高く定めた第２の所定温度以下であるときに、機関始動開始時から前記内燃機関が完爆状態に至るまで前記リフト量を前記第１設定値よりも大きい第３設定値に設定することを特徴としている。
【手続補正１０】
【補正対象書類名】明細書
【補正対象項目名】００１８
【補正方法】変更
【補正の内容】
【００１８】
上述したように機関温度が常温である場合には、極低温下に比べて燃料の霧化は良好であるので、吸気弁のリフト量が小さすぎると吸入空気量が少なくなり、燃料と空気との混合が不充分になるおそれがある。そこで請求項４に記載の発明では、機関温度が第１の所定温度より高い第２の所定温度以下であるとき、即ち常温であるときは機関始動開始時から完爆するまでの間、吸気弁のリフト量を第１設定値よりも大きい第３設定値に設定するようにした。これによって、燃料と空気とが充分に混合された混合気が形成されるので、機関始動開始時から短時間で内燃機関を初爆させることができ、さらに初爆状態から短時間で完爆させることができる。したがって、内燃機関の始動性の向上を図ることができる。
【手続補正１１】
【補正対象書類名】明細書
【補正対象項目名】００１９
【補正方法】変更
【補正の内容】
【００１９】
請求項５に記載の発明では、請求項４に記載の内燃機関の制御装置において、前記制御手段は前記機関温度が前記第２の所定温度より高いことを条件に、機関始動開始時から前記内燃機関が完爆状態に至るまで前記リフト量を前記第２設定値より小さい第４設定値に設定することを特徴としている。
【手続補正１２】
【補正対象書類名】明細書
【補正対象項目名】００２０
【補正方法】変更
【補正の内容】
【００２０】
上述したように機関温度が極めて高い場合には、始動時の要求燃料量が少なくてすむので、吸気弁のリフト量は小さくても良い。そこで、請求項５に記載の発明では、機関温度が第２の所定温度より高いとき、即ち高温であるときは機関始動開始時から完爆するまでの間、吸気弁のリフト量を第２設定値よりも小さい第４設定値に設定するようにした。このように吸気弁のリフト量を比較的小さい値に設定することによって、始動時に燃焼室に吸入される空気量を少なくすることができる。これによって、いわゆる高温再始動時にサージタンクにある空気が大量に消費（燃焼室に吸入）されることが抑制され、不必要な吹き上がりの発生を抑制することができる。
【手続補正１３】
【補正対象書類名】明細書
【補正対象項目名】００２１
【補正方法】変更
【補正の内容】
【００２１】
請求項６に記載の発明では、請求項１〜５のいずれか１項に記載の内燃機関の制御装置において、前記可変動弁機構は前記吸気弁のリフト量に加えて更にその開閉時期を変更可能なものであり、前記制御手段は前記リフト量の増減に同期させて前記吸気弁の開弁期間も増減させて設定することを特徴としている。
【手続補正１４】
【補正対象書類名】明細書
【補正対象項目名】００２３
【補正方法】変更
【補正の内容】
【００２３】
請求項７に記載の発明では、請求項６に記載の内燃機関の制御装置において、前記制御手段は初爆から完爆までの間は前記吸気弁の閉弁時期を下死点に設定することを特徴としている。